(57)【要約】【課題】ビニールハウスなどの建造物の外部からの建造物領域の土壌への水の浸入を防止できる排水システムを提供することにある。【解決手段】建造物３０に併設された排水路１０を用いた排水システム１において、排水路１０は、凹溝１１内に外部と通水可能な排水路部材１５を配設した構成とされ、建造物３０の外側に建造物３０の側縁に沿って配された通行可能な隣接地５に形成されており、建造物３０の側面３４の下端部から、凹溝１１内空間と、建造物３０の下方の土壌との間を遮断するように延びてなる透水抑制被覆材１２が配設されている。【選択図】図１
2018104962.tif 000002
【特許請求の範囲】
【請求項１】
建造物に併設された排水路を用いた排水システムにおいて、
前記排水路は、凹溝内に外部と通水可能な排水路部材を配設した構成とされ、前記建造物の外側に該建造物の側縁に沿って配された通行可能な隣接地に形成されており、
前記建造物の側面の下端部から、前記凹溝内空間と、前記建造物の下方の土壌との間を遮断するように延びてなる透水抑制被覆材が配設されていることを特徴とする排水システム。
【請求項２】
請求項１において、
前記排水路部材は排水管とされ、該排水管には多数の孔が設けてあることを特徴とする排水システム。
【請求項３】
請求項１において、
前記排水路部材は排水管とされ、該排水管は複数の管を連設してなり、管と管との間に隙間が設けてあることを特徴とする排水システム。
【請求項４】
請求項１〜３のいずれか１項において、
前記排水路部材および前記透水抑制被覆材の一部が埋設されていることを特徴とする排水システム。
【請求項５】
請求項１〜４のいずれか１項において、
前記排水路部材は前記建造物と他の建造物との間に配設されており、
前記透水抑制被覆材は、前記排水路部材を上面側に配するようにして、前記他の構造物の下端部まで及ぶように配されていることを特徴とする排水システム。
【請求項６】
請求項５において、
前記透水抑制被覆材は、前記建造物および前記他の建造物のそれぞれに配した分離シートが相互に重なり合って構成されていることを特徴とする排水システム。
【請求項７】
請求項４において、
前記凹溝は前記建造物と他の建造物との間に配設されており、
前記透水抑制被覆材は、前記建造物および前記他の建造物のそれぞれに配した分離シートと、それぞれ分離シートの下部に接続した流水ガイドシートとを有したことを特徴とする排水システム。
【請求項８】
請求項５〜７のいずれか１項において、
前記排水路部材のすくなくとも上部には透水性材料が敷き詰められていることを特徴とする排水システム。
【請求項９】
請求項８において、
前記透水性材料は粒状とされ、敷き詰められた際に材料間に隙間が視認可能とされることを特徴とする排水システム。
【請求項１０】
請求項８または９において、
前記建造物および前記他の建造物は、屋根面に長手方向に沿った頂部を有し、その両側に傾斜屋根が形成された平面視長方形のビニールハウスとされ、
前記透水性材料は、
飽和透水係数（ｍｍ／ｍｉｎ）  ≧
（前記建造物と前記他の建造物の前記頂部間距離（ｍ）×雨量（ｍｍ／ｈｒ）
／  （６００００×排水管の管径（ｍ）×孔隙率（％）／１００）
の条件を満たす材料であることを特徴とする排水システム。
【請求項１１】
請求項１〜１０のいずれか１項において、
前記排水路を通じて排水された水を一時的に溜める貯水槽と、該貯水槽に溜まった水をくみ上げるくみ上げ機とを備えていることを特徴とする排水システム。
【発明の詳細な説明】
【技術分野】
【０００１】
本発明は、ビニールハウスなどの建造物に併設された排水路を用いた排水システムに関する。
【背景技術】
【０００２】
従来のビニールハウスには、たとえば特許文献１に記載されているように、ハウスの側縁近傍に溝渠による排水設備を設けることで、ハウス内土壌への雨水の浸入を回避できるようにしたものがある。
【０００３】
また、特許文献２には、遮水膜をビニールハウスの被覆材の下端より地中に延びるように設けて、雨水が地中を通ってハウス内土壌に浸入することを防止する技術が提案されている。
【先行技術文献】
【特許文献】
【０００４】
【特許文献１】特公昭４６−４０１６８号公報
【特許文献２】特開平４−６３５１６号公報
【発明の概要】
【発明が解決しようとする課題】
【０００５】
しかしながら、上記特許文献１のものは、排水路（凹溝）の上方がビニール幕で覆われているため、その上方空間を利用することはできない。また、このものでは、ゲリラ豪雨などが発生し、多量の雨水がハウスの外部の土壌に浸入した場合に、その雨水が地中を通ってハウス内土壌に浸入することを防止することはできない。
【０００６】
なお、従来の明渠では、土壌中の水分の移動によりハウス内土壌に水が浸透するおそれがあり、確実な排水手段とはなり得ない。また暗渠の場合、暗渠周辺の土壌の透水性を確保するためにもみ殻を設置するのが一般的であるが、経年によりもみ殻が微生物により分解され透水性を失い、排水能力が低下するおそれがある。
【０００７】
また、特許文献２に記載されたような遮水膜を設けても、ハウス外に水たまりができるような大雨の場合には、遮水膜をくぐるようにハウス内土壌に雨水が浸入するおそれがあり、確実な浸入防止対策とはなり得ない。
【０００８】
また、特許文献２に記載されたような遮水膜を設けても、ハウス外に水たまりができるような大雨の場合には、遮水膜をくぐるようにハウス内土壌に雨水が浸入するおそれがあり、確実な浸入防止対策とはなり得ない。
【０００９】
本発明は、このような事情を考慮して提案されたもので、その目的は、ビニールハウスなどの建造物の外部からの建造物領域の土壌への水の浸入を防止できる排水システムを提供することにある。
【課題を解決するための手段】
【００１０】
上記目的を達成するために、本発明の排水システムは、建造物に併設された排水路を用いた排水システムにおいて、排水路は、凹溝内に外部と通水可能な排水路部材を配設した構成とされ、建造物の外側に建造物の側縁に沿って配された通行可能な隣接地に形成されており、建造物の側面の下端部から、凹溝内空間と、前記建造物の下方の土壌との間を遮断するように延びてなる透水抑制被覆材が配設されていることを特徴とする。
【発明の効果】
【００１１】
本発明の排水システムによれば、上述した構成となっているため、建造物の外部からの建造物領域の土壌への水の浸入を防止することができる。
【図面の簡単な説明】
【００１２】
【図１】本発明の一実施形態に係る排水システムを模式的に示した説明図であり、図３のＸ１−Ｘ１線に対応した拡大縦断面図である。
【図２】（ａ）は同排水システムの要部の拡大分解縦断面図、（ｂ）（ｃ）は同排水システムに使用される排水管の２例の部分側面図である。
【図３】同排水システムが適用される建造物を含む周辺の平面図である。
【図４】本発明の他の実施形態に係る排水システムが適用される建造物を含む周辺の平面図および一部拡大平面図である。
【図５】（ａ）は図４のＸ２−Ｘ２線に対応した拡大縦断面図、（ｂ）は図４のＹ−Ｙ線に対応した拡大縦断面図である。
【図６】（ａ）（ｂ）は、上記実施形態に使用される排水路の他の例を示す縦断面図である。
【図７】（ａ）（ｂ）は、上記実施形態に使用される排水路の他の例を示す縦断面図である。
【図８】上記実施形態に使用される排水路の他の例を示す縦断面図である。
【発明を実施するための形態】
【００１３】
以下に、本発明の実施の形態について、添付図面を参照しながら説明する。以下には、図１〜図３に示した実施形態および図４、図５に示した実施形態の２実施形態について説明するが、まずこれらの共通的基本事項について概略を説明する。
【００１４】
これらの排水システム１、１Ａは建造物に併設された排水路１０を用いた排水システムである。排水路１０は、凹溝１１内に外部と通水可能な排水路部材（排水管１５、半割材１６）を有した構成とされ、建造物の外側に建造物の側縁に沿って配された通行可能な隣接地５に配設されている。建造物の側面の下端部から、凹溝１１内空間と、建造物の下方の土壌との間を遮断するように延びてなる透水抑制被覆材１２が配設されている。
【００１５】
ここで、建造物の下端部とは、本実施形態に示すような地上に表れる下端部であることが望ましい。つまり、建造物の地上に表れる下端部から隣接地５の明渠１１の建造物側の溝内側面１１ａまでの地表面が、透水抑制被覆材１２で覆われている。なお、以下に示す実施形態においては、図２（ａ）に示すように建造物（ビニールハウス３０の被覆材３２の最下端部は地中に埋まっている。
【００１６】
また、通水可能な排水路部材としては、図１や図５に示すような円筒状の排水管１５が挙げられるが、図８に示すような上方が開口した軒樋形状の半割材１６を排水路部材として用いることもできる。
【００１７】
この排水システム１の実施形態としては、ビニールハウス３０への適用が挙げられる。図３は、複数のビニールハウス３０をその短手方向に沿って並べてなる圃場３の平面図である。図１は、図３におけるＸ１−Ｘ１線に対応した拡大縦断面図（ビニールハウス３０の妻面側の正面図）である。図２（ａ）は図１の一部の要部拡大縦断面図、図２（ｂ）は図１の一部の要部拡大分解縦断面図である。
【００１８】
ビニールハウス３０の長手方向の側縁に沿って隣接地５が配されている。この隣接地５は、ビニールハウス３０の長手方向に沿った通行可能な通路であり、その通路には排水路１０が形成されている。隣接地５（通路）としては、図１に示すように、ビニールハウス３０、３０間に配されたものと、圃場３の両端側に配されたビニールハウス３０の外側の配されたものとがあり、それらのいずれにも排水路１０が形成されている。
【００１９】
これらの排水路１０は、コルゲート管、塩ビ管などよりなる共通の排水管２０につながっている。排水路１０、排水管２０を流れてきた排水は、下流側に設けてある貯水槽２１に一時的に貯められ、くみ上げ機２２でくみ上げて用水路２３へと排出されるようになっている。
【００２０】
この排水路１０は、コルゲート管、塩ビ管などよりなる排水管１５を有してなる。この排水管１５は上方が開口された凹溝１１の溝底に配されている。これら排水路１０の詳細については、図１および図２の説明とともに後述する。なお、排水路１０および共通の排水管２０は、排水を貯水槽２１にスムーズに流すために、水勾配（下り傾斜）をもって配設されることが望ましいものであることは言うまでもない。
【００２１】
この圃場３で使用されるビニールハウス３０は、果樹、野菜、観賞用植物などの作物の栽培のための、育成環境を形成する農園用ハウスである。ビニールハウス３０は、図１に示すように、骨組を構成する複数のフレーム材３１、ビニール材等の透明材で形成された被覆材３２などで構成されている。この被覆材３２は、ビニールハウス３０の屋根面３３、側面３４および妻面３５の全体を覆うように配されている。なお、図１中の３６は出入り口、３７は窓である。
【００２２】
屋根面３３は、頂部３３ａ（棟）の両側が側面３４側に向けて下り傾斜した形状とされる。ビニールハウス３０には樋は設置されておらず、図１に２点鎖線で示したように、屋根面３３に落ちてきた雨水は屋根面３３、側面３４を覆った被覆材３２を伝って隣接地５へと流れ落ちるようになっている。
【００２３】
ビニールハウス３０の隣接地５に設けられた排水路１０は、上述したように透水抑制被覆材１２と排水管１５とを利用したものである。具体的には、図２（ａ）（ｂ）に示すように、排水路１０は、ビニールハウス３０の隣接地５に形成された凹溝１１の内部に透水抑制被覆材１２を取りつけ、かつ別体の排水管１５を凹溝１１の溝底に配してなる。透水抑制被覆材１２としては、柔軟性があり取り扱いがしやすいシート状のものを好適に利用できる。なお、排水管１５の管径Ｌ２は、凹溝１１の幅寸法に略一致することが望ましい。本実施形態では、その透水抑制被覆材１２の上面側に、さらに凹溝１１の上方開口を塞ぐように透水性材料１３が敷き詰めてある。
【００２４】
本実施形態における凹溝１１は、隣接地５の幅方向のほぼ中央に配され、その両側には溝隣接部５ａが形成されている。隣接地５の幅寸法が小さい場合などでは、溝隣接部５ａはなくてもよいし、一方のみであってもよい。また、溝隣接部５ａは排水性を考慮して、凹溝１１に対し下り傾斜させている。
【００２５】
排水管１５としては、たとえば孔を有して外部と通水可能としたコルゲート管を利用でき、たとえば図２（ｂ）の部分側面図に示すように、多数の孔１５ａが設けてあるものであってもよい。孔１５ａは図２（ｂ）の例のように全面にあればよいが、上面にのみあるものでもよいし、下面にのみあるものでもよい。また、図２（ｃ）の部分側面図に示すように複数の管１５ｂを隙間１５ｃを介して連設した排水管１５であってよい。このようにして、外部と通水可能とするように排水管１５が配設されている。
【００２６】
透水抑制被覆材１２は、溝内面に沿うように、かつ、凹溝１１のビニールハウス３０側の溝隣接部５ａを経てビニールハウス３０の被覆材３２の下端部に及ぶように取りつけられている。凹溝１１の溝底に排水管１５が配設されているため、透水抑制被覆材１２は、溝内面においては溝内側面１１ａを覆うように取りつけられればよい。したがって、中央の排水路１０に関しては、凹溝１１の両方の溝内側面１１ａに透水抑制被覆材１２が取りつけられればよい。また、図１の左側の排水路１０については、図例では両方の溝内側面１１ａに透水抑制被覆材１２が取りつけてあるが、ビニールハウス３０側の溝内側面１１ａのみでもよい。なお、透水抑制被覆材１２の取りつけ方は、図６および図７に示すように種々あり、これらについては後述する。
【００２７】
なお、本排水路１０は排水管１５を有した構成であるため、透水抑制被覆材１２は溝底面１１ｂに取りつけなくてもよいが、排水管１５から水が排出することを考慮すれば取りつけることが望ましい。また、排水管１５の下方はたとえば凹溝１１の両側にビニールハウス３０がある場合に、一方の溝隣接部５ａから他方の溝隣接部５ａに至るように凹溝１１の溝底面１１ｂを含めて、ハウス間に共通の透水抑制被覆材１２を配設して、効率的な配設を図ってもよい。
【００２８】
透水抑制被覆材１２は、水を土壌に浸透させないことを目的として設けるものであり、透水性抑制シート１２として、たとえばビニールハウス３０の被覆材３２と同種の素材を用いることができる。なお、防草シートのような水が通りにくい素材のものであれば、どのようなシート材を用いてもよい。また、素材としては透水するものであっても、水の流れを変えることができる、たとえば木質板状体を透水抑制被覆材１２として用いてもよい。
【００２９】
また、透水抑制被覆材１２は被覆材３２に接着等で隙間なく連結されていることが望ましい。さらに、ビニールハウス３０を施工する際に、側面３４の被覆材３２として長めのものを準備し、その下端から延びた部位を透水抑制被覆材１２として用いるようにしてもよい。
【００３０】
なお、透水抑制被覆材１２は凹溝１１の全長にわたり、溝隣接部５ａを含め隙間なく配設されることが雨水を遮断するうえでは望ましいが、部分的に配されない部位があってもよい。
【００３１】
また、凹溝１１への透水性材料１３の敷き詰め方は、図２（ａ）に示すように、隣接地５の上面がほぼ平坦となるようにすることが、隣接地５を問題なく通行できるようにするうえで望ましい。なお、隣接部５ａに図例のような傾斜や凹凸があることを考慮すれば、透水性材料１３は凹溝１１に対してだけではなく、溝隣接部５ａにも敷くことが望ましい。さらに、溝隣接部５ａを形成できないような幅狭な隣接地５を歩行用の通路として使用する場合には、透水性材料１３を隣接地５全体に敷き詰めることが望ましい。
【００３２】
透水性材料１３としては、高い透水性を求める場合には、敷き詰められたときに材料間に視認可能な隙間が形成される砂利などが望ましいが、これには限られず、ボラ土などを用いることもできる。
【００３３】
透水性材料１３としては、高透水性のもの、具体的にはたとえば次の条件を満足する材料を用いることが望ましい。なお、以下に示す計算式は、排水管１５の管径Ｌ２が凹溝１１の幅寸法に略一致していることを前提とする。
【００３４】
（１）雨量Ｘ（降水量：ｍｍ／ｈｒ（時間））＝
（Ｘ／６０）／１０００（ｍ／ｍｉｎ（分））
（２）１分間に１つの排水路１０に流れ込む雨水量（単位雨水量）＝
Ｌ１×ｄ×Ｘ／６０（Ｌ／ｍｉｎ）
ここで、Ｌ１は隣接するビニールハウス３０の頂部３３ａ、３３ａ間寸法（ｍ）である（図１参照）。
つまり、Ｌ１＝ａ＋ｂ＋ｃ  である。
ここで、ａ、ｃはビニールハウス３０の短手方向の半分の幅寸法（ｍ）、
ｂは隣接地５の幅寸法（ｍ）である。
ｄはビニールハウス３０の長手方向の寸法（ｍ）である。
（ａ、ｂ、ｃ、ｄ、Ｌ１については図１参照）
（３）透水性材料１３が１分間に排水管１５まで排水できる水量（許容排水量）＝
Ｌ２×ｄ×Ｋ×（Ｚ／１００）（ｍ３／ｍｉｎ）＝
１０×Ｌ２×ｄ×Ｋ×Ｚ（Ｌ／ｍｉｎ）
ここで、Ｌ２は排水管の管径（ｍ）である（図１参照）。
ｄはビニールハウス３０の長手方向の寸法（ｍ）、
Ｚは透水性材料１３を敷き詰めたときの孔隙率（％）、
Ｋは飽和透水係数（ｍ／ｍｉｎ）である。
（ｄについては図３参照）
【００３５】
現実的な透水性材料１３の候補としては、中砂、粗砂、小砂利、砂利が挙げられる。これらの各材料の粒径（ｍｍ）／飽和透水係数（ｍ／ｓｅｃ）は、おおむね次の通りである。
中砂・・・０．２５〜０．５０／８．３×１０−４
粗砂・・・０．５０〜１．０／３．６×１０−３
小砂利・・・１．０〜５．０／３．０×１０−２
砂利・・・５．０〜／１．０×１０−２〜１０．０
上記孔隙率についても、上記材料ごとにおおむね定まった数値や、上記材料に共通の概略数値はあるが、同じ種類の材料であってもばらつきがあるので、実際の透水性材料１３となり得る材料を用いて測定することが望ましい。たとえば、実際の透水性材料１３の候補となる材料をビーカー等の容器に投入し、水がどれだけ入るかを計測することで孔隙率を測定、算出することができる。
【００３６】
隣接地５に集水された雨水が地表面に残らないように排水されるためには、
（３）の許容排水量  ≧  （２）の単位雨水量
とする必要があるから、上記３式より、
（６００×Ｌ２×Ｋ×Ｚ）／（Ｌ１×Ｘ）  ≧  １
つまり、Ｋ  ≧  （Ｌ１×Ｘ）／（６００×Ｌ２×Ｚ）
を満足する飽和透水係数Ｋに対応した透水性材料１３を用いればよい。
【００３７】
ここで、排水管１５の設置深さｈ（図１参照）について説明する。
透水抑制被覆材１２を排水管１５の下部まで設置しない場合や、かりに設置した場合でも、工事の際に少し破れてしまったりすることがある。さらには、排水管１５の設置の際に傾斜をつけることや、水平に設置しようとしても、水が一部残ってしまうことがある。そのような場合、この水は人工的に作られた地下水位と考えることができる。
【００３８】
一般的に、植物にとって地下水位が高いことは生育に悪影響があるため、植物の種類によって推奨される地下水位を条件とすることが望ましい。たとえば、ほうれん草を栽培するのであれば、地下水位が５０ｃｍ以下が適用されるため、排水管１５はすくなくとも地表面から５０ｃｍ以下の深さ位置に設置することが望ましい。なすは２０ｃｍ以下、白菜は３０ｃｍ以下、ねぎは４０ｃｍなどの一般的な地下水位の条件は定められているが、できるだけ低く設置しておけば、さまざまな作物に展開することが可能となる。
【００３９】
また、排水管１５の設置深さｈについては、作物の地下水位の他にも、排水先の高低差も考慮して決定することが望ましい。排水先の高低差等の関係で、理想的な深さでの排水管１５の設置が困難な場合、本実施形態のように貯水槽２１を設けることで調整することが望ましい。
【００４０】
排水管１５の地表面との高低差が３０ｃｍ以上になれば、許容排水量はほぼ透水性材料１３によって定まる。よって、上記の計算方法で決定した材料を透水性材料１３として用いればよい。なお、複数の材料を組み合わせて、条件を満たす透水性材料１３を決定してもよい。
【００４１】
排水管１５の設置深さｈが浅い（３０ｃｍ未満）場合は、許容排水量は透水性材料１３だけでなく、排水管１５および排水設備の能力による影響が出てくる。ただし、そもそも排水管１５から排水先（貯水槽２１）までの排水能力については、１つの排水管１５の許容排水量はもとより圃場３全体の許容排水量を満足できるようにするべきところであるため、透水性材料１３の選定を間違わなければ大きな問題にはならない。
【００４２】
なお、通水性を有した排水管１５を凹溝１１の溝底に配設し、かつ透水抑制被覆材１２が凹溝１１の溝内側面１１ａを覆っていれば排水路１０として使用できるため、透水性材料１３を敷き詰めない構成のものであってもよい。透水性材料１３を用いない場合には、凹溝１１の内面および溝隣接部５ａにおいて、透水抑制被覆材１２の表面および排水管１５の上面が露出する。したがって、雨天時の歩行を考慮すれば、透水性材料１３を敷き詰めて滑りにくい歩行面を形成することが望ましいことは言うまでもない。
【００４３】
以上に説明した排水システム１によれば、透水抑制被覆材１２がビニールハウス３０の隣接地５にビニールハウス３０の側縁に隙間なく配され、かつ溝底に排水管１５が設けてあるため、雨水の浸入を効果的に抑えられる。すなわち、隣接地５に直接落ちた雨水や、ビニールハウス３０の屋根面３３より隣接地５に流れてきた雨水が隣接地５の土壌を通じてハウス内土壌４へ浸入することを防止できる。また、ビニールハウス３０の側面下端からの水の浸入も防止することができる。
【００４４】
また、排水路１０の下部に外部と通水が可能な排水管１５が配設されているため、隣接地５に集水された雨水を効率的に下流の排水管２０へと流し、貯水槽２１に集めることができる。ようするに、ハウス内土壌４だけではなく、圃場３全体としても、余分な水が土壌へ浸透、浸入することを防止することができる。
【００４５】
さらに、凹溝１１の上方開口を塞ぐように透水性材料１３が敷き詰められているので、凹溝１１が通行のじゃまにはなるおそれはない。また上述したように、透水性材料１３を隣接地５全体に敷き詰めれば透水抑制被覆材１２の露出を防止でき、さらに通行しやすくなる。
【００４６】
以上の実施形態は、排水路１０を雨水が集中するビニールハウス３０の側面３４側の隣接地５に配した例であるが、さらに妻面３５側の隣接地５にも同様の排水路１０を配するようにしてもよい。このようにビニールハウス３０を取り囲むように排水路１０を設ければ、より確実にハウス内土壌４への水の浸入を防止することができる。
【００４７】
さらに、このように貯水層２１に集められた排水は、図１に示すように、貯水槽２１に併設されたポンプを有したくみ上げ機２２で、外部の用水路２３へ流し出すことができる。
【００４８】
以上のように、この排水システム１によれば、ハウス内土壌４への雨水の浸入を防止でき、圃場３全体の土壌への浸入も防止でき、かつ、圃場３内の余分な水を外部へ排水することができる。また、貯水槽２１にはくみ上げ機２２が併設されているため、貯水槽２１から圃場３内への水の逆流も防止することができる。
【００４９】
ついで、図４、図５に示した、本発明の他の実施形態に係る排水システム１Ａについて説明する。図４は、複数のビニールハウス３０をその短手方向に沿って並べてなる圃場３の平面図である。図５（ａ）は図４のＸ２−Ｘ２線に対応した拡大縦断面図、図５（ｂ）は図４のＹ−Ｙ線に対応した拡大縦断面図である。
【００５０】
この排水システム１Ａは、図４に示すように、排水路１０（排水管１５）、短手方向の排水路（排水管２５）がビニールハウス３０を取り囲むように配設されている。この排水システム１Ａは、図中１点鎖線で示した短手方向の排水路２５から長手方向の排水路１５に排水されるようになっている。つまり、図４に示した排水システム１Ａは、図中の下方から上方の用水路２３に向けて排水がなされる。
【００５１】
この排水システム１Ａに採用されている排水路１０は、図５（ａ）に示すように図１のものとおおむね同様である。本実施形態の設置条件としては、隣接地５の幅寸法が１．２ｍ、凹溝１１の幅寸法（排水管１５の管径）が０．３ｍ、溝隣接部５ａの傾斜角度が地表面に対して３０度とされる。各部については、図１、図２の排水管１５と同様の符号を付して、その説明を省略する。
【００５２】
排水路１５、２５どうしの交差部Ａでは、図５（ｂ）に示すように、短手方向の排水管２５が排水路１０の排水管１５よりも高い位置に配され、短手方向の排水管２５から流れる排水がその排水管２５を設置した傾斜面部を伝って隣接地５の排水路１５へと流れるようになっている。本実施形態における短手方向の排水管２５の設置深さが地表面から０．１ｍであり、地表面から隣接地５の排水管１５の上端面までの深さが０．６ｍであり、０．５ｍの落差がある。
【００５３】
この短手方向に沿って配した排水路２５は大量の水が流れ込むことはないため、設置しなくてもよいが、上述したように、より確実にハウス内土壌４への水の浸入を防止するためには、たとえば図５（ｂ）に示すように設置することが望ましい。また、このような理由から、図５（ｂ）に示すように短手方向の排水管２５は、隣接地５の排水路１０に配された排水管１５の径よりも小さい径のものでよい。なお、隣接地５の排水路１０に配された排水管１５は、図５に示したように上流側において短手方向の排水路２５より水が流れ込むため、傾斜して設置することは必須ではない。
【００５４】
以上の２つの実施形態には、同形状、同形態の排水路１５を例示したが、排水路１５としては、たとえば図６（ａ）（ｂ）、図７（ａ）（ｂ）および図８に示したものが挙げられる。これらについて説明する。
【００５５】
図６および図７に示した４種の排水路１５は、透水抑制被覆材１２の配設の仕方が図１、図５に示したものと異なる。
【００５６】
図６（ａ）では、排水路１０（排水管１５）はビニールハウス３０、３０間に配設されており、透水抑制被覆材１２は、排水管１５の上方に配するようにして、一方のビニールハウス３０の下端部から他方のビニールハウス３０の下端部まで及ぶように、溝底面１１ｂも覆うように配されている。
【００５７】
図６（ｂ）、図７（ａ）および図７（ｂ）に示したものは、透水抑制被覆材１２が分離した構成となっている。
【００５８】
図６（ｂ）では、一方の分離シート１２ａと他方の分離シート１２ａとが、凹溝の一方の溝内側面１１ａで接続されている。つまり、排水管１５を配設した溝底面１１ｂにも排水抑制被覆材１２が配設されている。このものでは、一方の分離シート１２ａが溝底面１１ｂを覆っている。
【００５９】
図７（ａ）では、ビニールハウスごとの分離シート１２ａは、いずれも溝内側面１１ａの下部まで延び、それらを連結するように他の分離シート（流水ガイドシート１２ｂ）が溝底面１１ｂに配設されている。
【００６０】
図７（ｂ）では、ビニールハウス３０ごとの分離シート１２ａは、いずれも溝隣接部５ａに配されており、それぞれに重なって溝内側面１１ａの下部まで延びるように他の分離シート（流水ガイドシート１２ｂ）が配設されている。
【００６１】
以上のように、透水抑制被覆材１２は種々の配設態様があり、１枚のシートでもよいし、複数枚のシートを隙間なくつなぎ合わせたものであってもよい。
【００６２】
また、図８に示した排水路部材は、上記種々の実施形態で使用した円筒状の排水管１５に代えて、円筒状のものを半割にして軒樋形状にした半割材１６を用いたものである。図８に示すように、半割材１６の凹湾曲部には透水性材料１３が敷き詰められるが、透水性材料１３の隙間空間を通って雨水は底面に到達するので、このような半割材１６であっても排水路部材として問題なく使用できる。このように上方が開口した排水路部材としては、凹溝１１の底形状に合致するような角樋形状のものでもよい。
【００６３】
このような半割材１６を排水路部材として用いれば、図２（ｂ）に示すように排水管１５を細工する必要がなく、また図２（ｃ）に示すように排水管１５の配設を工夫する必要もなく、簡易に排水路１０を施工することができる。
【００６４】
以上には、排水システム１、１Ａをビニールハウス３０に適用した例を示したが、それには限られず、一般住宅や倉庫、ビルなど種々の建造物にも適用が可能である。それらの種々の建造物の場合においても、適切な透水性材料１３（飽和透水係数）が、排水路１０に流れ込む雨水量によって決定され得ることは言うまでもない。もちろんその場合には、建造物の条件（形状、樋設備の有無など）によっては、上述した飽和透水係数の条件式をそのまま用いることができるとは限らないことは言うまでもない。
【符号の説明】
【００６５】
１          排水システム
４          ハウス内土壌
５          隣接地
１０        排水路
１１        凹溝
１１ａ      溝内側面
１１ｂ      溝底面
１２        透水抑制被覆材
１２ａ      分離シート
１２ｂ      流水ガイドシート
１３        透水性材料
１５        排水管（排水路部材）
１５ａ      孔
１５ｂ      管
１５ｃ      隙間
１６        半割材（排水路部材）
２０        （共通の）排水管
２１        貯水槽
２２        くみ上げ機
２３        用水路
３０        ビニールハウス（建造物）
【図１】
2018104962.tif 000003
【図２】
2018104962.tif 000004
【図３】
2018104962.tif 000005
【図４】
2018104962.tif 000006
【図５】
2018104962.tif 000007
【図６】
2018104962.tif 000008
【図７】
2018104962.tif 000009
【図８】
2018104962.tif 000010